(57)【要約】【課題】意匠性の向上を図ることができるとともに、乗場出入口への乗客等の進入の有無をより正確に検出することができるエレベータの取付用出入口装置を得る。【解決手段】  乗場出入口３の一方の縦枠７には、出入口センサ１７の受光部１３と乗場操作盤１４とを搭載した第１のカバーパネル１０が取り付けられる。乗場出入口３の他方の縦枠８には、出入口センサ１７の投光部１２を搭載した第２のカバーパネル１１が取り付けられる。第１のカバーパネル１０は、縦枠７から乗場１側へ離れて配置された第１の正面パネル部を有し、第２のカバーパネル１１は、縦枠８から乗場１側へ離れて配置された第２の正面パネル部を有している。乗場操作盤１４は、第１の正面パネル部に取り付けられている。受光部１３は第１の正面パネル部と縦枠７との間の空間に配置され、投光部１２は第２の正面パネル部と縦枠８との間の空間に配置される。【選択図】図１
2008013355.tif 000002
【特許請求の範囲】
【請求項１】
乗場出入口の間口方向両側部に配置された一対の縦枠のそれぞれに取り付けられるエレベータの追加用出入口装置であって、
第１の正面パネル部を有し、上記第１の正面パネル部が上記一方の縦枠から乗場側へ離れて配置されるように、上記一方の縦枠に取り付けられる第１のカバーパネル、
第２の正面パネル部を有し、上記第２の正面パネル部が上記他方の縦枠から上記乗場側へ離れて配置されるように、上記他方の縦枠に取り付けられる第２のカバーパネル、
上記第１の正面パネル部に取り付けられた乗場操作盤、及び
投光部と、上記投光部からの光を受ける受光部とを有し、上記投光部及び上記受光部のいずれか一方が上記第１のカバーパネルに搭載され、上記投光部及び上記受光部のいずれか他方が上記第２のカバーパネルに搭載された出入口センサ
を備え、
上記投光部及び上記受光部のいずれか一方は、上記第１の正面パネル部と上記一方の縦枠との間に配置され、上記投光部及び上記受光部のいずれか他方は、上記第２の正面パネル部と上記他方の縦枠との間に配置されていることを特徴とするエレベータの取付用出入口装置。
【請求項２】
上記第１のカバーパネルは、上記第１の正面パネル部の上記第２のカバーパネル側の端部に設けられて上記第１の正面パネル部と上記一方の縦枠との間の空間を覆う第１の内側面パネル部をさらに有し、
上記第２のカバーパネルは、上記第２の正面パネル部の上記第１のカバーパネル側の端部に設けられて上記第２の正面パネル部と上記他方の縦枠との間の空間を覆う第２の内側面パネル部をさらに有していることを特徴とする請求項１に記載のエレベータの取付用出入口装置。
【請求項３】
上記第１の内側面パネル部の上記乗場側の端部と、上記第２の内側面パネル部の上記乗場側の端部との間の距離は、上記第１の内側面パネル部の上記一方の縦枠側の端部と、上記第２の内側面パネル部の上記他方の縦枠側の端部との間の距離よりも大きくなっていることを特徴とする請求項２に記載のエレベータの取付用出入口装置。
【発明の詳細な説明】
【技術分野】
【０００１】
この発明は、例えば出入口センサ等を乗場出入口の三方枠に取り付けるためのエレベータの取付用出入口装置に関するものである。
【背景技術】
【０００２】
従来、乗場出入口への乗客等の進入を検出可能にするために、乗場出入口の間口方向両側に投光部及び受光部を配置したエレベータ出入口部の安全装置が提案されている。投光部及び受光部は、乗場出入口の三方枠の外側に位置する乗場壁に取り付けられている。これにより、三方枠の大幅な改造を行うことなく、既設の乗場に投光部及び受光部を容易に取り付けることができる（特許文献１参照）。
【０００３】
【特許文献１】特開平１０−２７９２３８号公報
【発明の開示】
【発明が解決しようとする課題】
【０００４】
しかし、投光部及び受光部が三方枠の外側に配置されているので、乗客が乗場出入口に進入する場合だけでなく、三方枠に設けられた乗場操作盤を乗客が操作する場合にも、乗客を検出してしまう。従って、乗場出入口への乗客の進入を正確に検出することが困難になってしまう。
【０００５】
また、投光部及び受光部が乗場壁に設けられているので、乗場出入口の意匠性が低下してしまう。特に、住宅用のエレベータでは、意匠性の低下が問題になることがある。
【０００６】
この発明は、上記のような課題を解決するためになされたものであり、意匠性の向上を図ることができるとともに、乗場出入口への乗客等の進入の有無をより正確に検出することができるエレベータの取付用出入口装置を得ることを目的とする。
【課題を解決するための手段】
【０００７】
この発明に係るエレベータの取付用出入口装置は、乗場出入口の間口方向両側部に配置された一対の縦枠のそれぞれに取り付けられるエレベータの追加用出入口装置であって、第１の正面パネル部を有し、第１の正面パネル部が一方の縦枠から乗場側へ離れて配置されるように、一方の縦枠に取り付けられる第１のカバーパネル、第２の正面パネル部を有し、第２の正面パネル部が他方の縦枠から乗場側へ離れて配置されるように、他方の縦枠に取り付けられる第２のカバーパネル、第１の正面パネル部に取り付けられた乗場操作盤、及び投光部と、投光部からの光を受ける受光部とを有し、投光部及び受光部のいずれか一方が第１のカバーパネルに搭載され、投光部及び受光部のいずれか他方が第２のカバーパネルに搭載された出入口センサを備え、投光部及び受光部のいずれか一方は、第１の正面パネル部と一方の縦枠との間に配置され、投光部及び受光部のいずれか他方は、第２の正面パネル部と他方の縦枠との間に配置されている。
【発明の効果】
【０００８】
この発明に係るエレベータの取付用出入口装置では、第１及び第２のカバーパネルが縦枠にそれぞれ取り付けられたときに、第１及び第２の正面パネル部が縦枠から乗場側へそれぞれ離れて配置され、乗場操作盤が第１の正面パネル部に取り付けられるとともに、投光部が第２の正面パネル部と縦枠との間に、受光部が第１の正面パネル部と縦枠との間にそれぞれ配置されるので、乗客が乗場操作盤を操作するときに出入口センサが乗客を検出することを防止することができる。これにより、乗場出入口への被検出体の進入の有無をより正確に検出することができる。また、第１及び第２のカバーパネルにより各縦枠を乗場側に対して隠すことができるので、乗場出入口の意匠性の向上を図ることができる。
【発明を実施するための最良の形態】
【０００９】
実施の形態１．
図１は、この発明の実施の形態１によるエレベータの取付用出入口装置が出入口枠に取り付けられた乗場出入口を示す水平断面図である。また、図２は、図１の乗場出入口を示す正面図である。図において、各階の乗場１には、昇降路２内と乗場１との間を連通する乗場出入口３が設けられている。乗場出入口３には、乗場出入口３の間口方向へ移動可能な複数の乗場ドア４が設けられている。乗場出入口３は、各乗場ドア４の移動により開閉される。この例では、各乗場ドア４が同一方向へ移動される片開き式の乗場出入口３とされている。
【００１０】
なお、昇降路２内を昇降されるかご（図示せず）には、かごが各階に停止したときに乗場出入口３に対向するかご出入口（図示せず）が設けられている。また、かごには、かご出入口を開閉するかごドアと、かごドアを移動させるドア駆動装置とが搭載されている（いずれも図示せず）。かごドアは、かごが各階に停止したときに、図示しない係合装置により乗場ドア４と係合される。かごドアは、ドア駆動装置の駆動力により、乗場ドア４と係合されながら乗場ドア４とともに移動される。これにより、乗場出入口３及びかご出入口が開閉される。
【００１１】
乗場出入口３の下部には、乗場敷居５が配置されている。乗場敷居５上には、出入口枠（三方枠）６が設けられている。乗場出入口３は、乗場敷居５及び出入口枠６により囲まれている。出入口枠６は、乗場出入口３の間口方向両側部に配置された一対の縦枠７，８と、乗場出入口３の上部に配置され、各縦枠７，８の上端部間を結ぶ上枠９とを有している。
【００１２】
戸当たり側の縦枠（一方の縦枠）７には、縦枠７の乗場１側の面を覆う第１のカバーパネル１０が取り付けられている。戸袋側の縦枠（他方の縦枠）８には、縦枠８の乗場１側の面を覆う第２のカバーパネル１１が取り付けられている。
【００１３】
第２のカバーパネル１１には、第１のカバーパネル１０側へ光を照射する複数の投光部１２が搭載されている。各投光部１２は、乗場出入口３の高さ方向へ互いに間隔を置いて配置されている。
【００１４】
第１のカバーパネル１０には、各投光部１２からの光をそれぞれ受ける複数の受光部１３と、乗場１から操作可能な乗場操作盤１４と、乗場１への音声を発生するスピーカ１５とが搭載されている。また、第１のカバーパネル１０には、スピーカ１５からの音声を乗場１側へ伝えるための放音穴１６（図２）が設けられている。
【００１５】
各受光部１３は、乗場出入口３の高さ方向へ互いに間隔を置いて配置されている。各投光部１２及び各受光部１３は、乗場出入口３の間口方向について、乗場出入口３を介して互いに対向している。
【００１６】
乗場出入口３への被検出体（例えば乗客等）の進入の有無を検出するための出入口センサ（光電センサ）１７は、各投光部１２及び各受光部１３を有している。出入口センサ１７は、すべての受光部１３による受光が継続しているときに、乗場出入口３への被検出体の進入がないことを検出し、投光部１２からの光が遮蔽されて受光部１３による受光が停止されたときに、乗場出入口３への被検出体の進入があることを検出する。
【００１７】
乗場操作盤１４には、かごが存在する階を表示するかご位置表示器１８と、かご位置表示器１８の下方に配置され、かごを乗場１に停止させる（乗場呼び登録を行う）ために操作される複数の乗場釦１９とが設けられている。また、乗場操作盤１４は、パネル状に成形された小形タイプ（ボックスレスタイプ）の操作盤とされている。
【００１８】
なお、出入口枠６に追加して取り付けられるエレベータの取付用出入口装置は、第１及び第２のカバーパネル１０，１１、乗場操作盤１４、スピーカ１５及び出入口センサ１７を有している。
【００１９】
図３は、図１の乗場出入口３の戸当たり側の部分を示す拡大図である。図において、第１のカバーパネル１０は、縦枠７から乗場１側へ離れて配置された板状の第１の正面パネル部２１と、第１の正面パネル部２１の第２のカバーパネル１１側の端部に設けられた第１の内側面パネル部２２と、第１の正面パネル部２１の第２のカバーパネル１１側と反対側の端部に設けられた第１の外側面パネル部２３とを有している。第１のカバーパネル１０は、一枚の板を曲げ加工することにより作製されている。
【００２０】
第１の正面パネル部２１の高さ寸法は、縦枠７の高さ寸法とほぼ同一とされている。従って、縦枠７は、第１のカバーパネル１０により乗場１側に対して隠れている。なお、放音穴１６は、第１の正面パネル部２１の上部に設けられている（図２）。
【００２１】
第１の内側面パネル部２２及び第１の外側面パネル部２３は、乗場出入口３の間口方向について互いに対向している。この例では、第１の内側面パネル部２２及び第１の外側面パネル部２３は、第１の正面パネル部２１に対して垂直になっている。第１の内側面パネル部２２は複数のボルト２４により縦枠７に固定され、第１の外側面パネル部２３は複数のボルト２５により縦枠７に固定されている。第１の正面パネル部２１と縦枠７との間の空間は、第１の内側面パネル部２２及び第１の外側面パネル部２３により覆われている。
【００２２】
各受光部１３及びスピーカ１５は、第１の正面パネル部２１と縦枠７との間の空間にそれぞれ配置されている。各受光部１３は、各受光部１３の位置を調整するための位置調整部材２６を介して第１の正面パネル部２１に取り付けられている。スピーカ１５は、放音穴１６の高さに合わせて第１の正面パネル部２１の上部に取り付けられている。乗場操作盤１４は、乗場１側に露出させて第１の正面パネル部２１に取り付けられている。なお、第１の内側面パネル部２２には、各投光部１２からの光を各受光部１３へ通すための開口部２７が設けられている。
【００２３】
図４は、図１の乗場出入口３の戸袋側の部分を示す拡大図である。図において、第２のカバーパネル１１は、縦枠８から乗場１側へ離れて配置された板状の第２の正面パネル部３１と、第１の正面パネル部３１の第１のカバーパネル１０側の端部に設けられた第２の内側面パネル部３２と、第２の正面パネル部３１の第１のカバーパネル１０側と反対側の端部に設けられた第２の外側面パネル部３３とを有している。第２のカバーパネル１１は、一枚の板を曲げ加工することにより作製されている。
【００２４】
第２の正面パネル部３１の高さ寸法は、縦枠８の高さ寸法とほぼ同一とされている。縦枠８は、第２のカバーパネル１１により乗場１側に対して隠れている。また、第２の内側面パネル部３２及び第２の外側面パネル部３３は、乗場出入口３の間口方向について互いに対向している。この例では、第２の内側面パネル部３２及び第２の外側面パネル部３３は、第２の正面パネル部３１に対して垂直になっている。第２の内側面パネル部３２は複数のボルト３４により縦枠８に固定され、第２の外側面パネル部３３は複数のボルト３５により縦枠８に固定されている。第２の正面パネル部３１と縦枠８との間の空間は、第２の内側面パネル部３２及び第２の外側面パネル部３３により覆われている。
【００２５】
各投光部１２は、第２の正面パネル部３１と縦枠８との間の空間に配置されている。また、各投光部１２は、各投光部１２の位置を調整するための位置調整部材３６を介して第２の正面パネル部３１に取り付けられている。なお、第２の内側面パネル部３２には、各投光部１２からの光を通すための開口部３７が設けられている。
【００２６】
次に、エレベータの取付用出入口装置を既設の出入口枠６に取り付けるときの手順について説明する。まず、各受光部１３、乗場操作盤１４及びスピーカ１５を第１のカバーパネル１０にあらかじめ組み込んでおく。また、各投光部１２を第２のカバーパネル１１にあらかじめ組み込んでおく。さらに、縦枠７に設けられている既設の乗場操作盤は、あらかじめ取り外しておく。この後、各ボルト２４，２５，３４，３５を通すためのボルト通し穴を各縦枠７，８に開ける。
【００２７】
この後、各受光部１３、乗場操作盤１４及びスピーカ１５を組み込んでおいた第１のカバーパネル１０を縦枠７に取り付ける。このときの第１のカバーパネル１０の縦枠７に対する取り付けは、第１の正面パネル部２１が縦枠７から乗場１側へ離れて配置されるように第１のカバーパネル１０を縦枠７に当接させ、通し穴に通したボルト２４，２５を昇降路２側から締め付けて、第１の内側面パネル部２２及び第１の外側面パネル部２３を縦枠７に固定することにより行う。
【００２８】
また、各投光部１２を組み込んでおいた第２のカバーパネル１１を縦枠８に取り付ける。このときの第２のカバーパネル１１の縦枠８に対する取り付けは、第２の正面パネル部３１が縦枠８から乗場１側へ離れて配置されるように第２のカバーパネル１１を縦枠８に当接させ、通し穴に通したボルト３４，３５を昇降路２側から締め付けて、第２の内側面パネル部３２及び第２の外側面パネル部３３を縦枠８に固定することにより行う。
【００２９】
この後、各投光部１２、各受光部１３、乗場操作盤１４及びスピーカ１５の配線接続を行い、既設の出入口枠６に対する取付用出入口装置の取り付けが完了する。
【００３０】
このようなエレベータの取付用出入口装置では、第１及び第２のカバーパネル１０，１１が縦枠７，８にそれぞれ取り付けられたときに、第１及び第２の正面パネル部２１，３１が縦枠７，８から乗場１側へそれぞれ離れて配置され、乗場操作盤１４が第１の正面パネル部２１に取り付けられるとともに、投光部１２が第２の正面パネル部３１と縦枠８との間に、受光部１３が第１の正面パネル部２１と縦枠７との間にそれぞれ配置されるので、乗客が乗場操作盤１４を操作するときに出入口センサ１７が乗客を検出することを防止することができる。これにより、乗場出入口３への被検出体の進入の有無をより正確に検出することができる。また、第１及び第２のカバーパネル１０，１１により各縦枠７，８を乗場１側に対して隠すことができるので、乗場出入口３の意匠性の向上を図ることができる。
【００３１】
また、第１のカバーパネル１０は、第１の正面パネル部２１と縦枠７との間の空間を覆う第１の内側面パネル部２２をさらに有し、第２のカバーパネル１１は、第２の正面パネル部３１と縦枠８との間の空間を覆う第２の内側面パネル部３２をさらに有しているので、第１及び第２の正面パネル部２１，３１のそれぞれの裏側を乗場１側に対して隠すことができる。従って、乗場出入口３の意匠性の向上をさらに図ることができる。
【００３２】
なお、上記の例では、各投光部１２が第２のカバーパネル１１に搭載され、各受光部１３が第１のカバーパネル１０に搭載されているが、各投光部１２を第１のカバーパネル１０に搭載し、各受光部１３を第２のカバーパネル１１に搭載してもよい。
【００３３】
また、上記の例では、既設の乗場操作盤を縦枠７から取り外した後に、第１のカバーパネル１０を縦枠７に取り付けるようになっているが、既設の乗場操作盤を縦枠７に取り付けたまま、第１のカバーパネル１０を縦枠７に取り付けてもよい。
【００３４】
実施の形態２．
上記の例では、第１の内側面パネル部２２が第１の正面パネル部２１に対して垂直にされ、第２の内側面パネル部３２が第２の正面パネル部３１に対して垂直にされているが、第１の内側面パネル部２２を第１の正面パネル部２１に対して傾斜させ、第２の内側面パネル部３２を第２の正面パネル部３１に対して傾斜させてもよい。
【００３５】
即ち、図５は、この発明の実施の形態２によるエレベータの取付用出入口装置が出入口枠６に取り付けられた乗場出入口３を示す水平断面図である。図において、第１の内側面パネル部２２は、第１の正面パネル部２１に対して傾斜している。また、第２の内側面パネル部３２は、第２の正面パネル部３１に対して傾斜している。これにより、第１の内側面パネル部２２の乗場１側の端部と、第２の内側面パネル部３２の乗場１側の端部との間の距離は、第１の内側面パネル部２２の縦枠７側の端部と、第２の内側面パネル部３２の縦枠８側の端部との間の距離よりも大きくなっている。他の構成は実施の形態１と同様である。
【００３６】
このようなエレベータの取付用出入口装置では、第１の内側面パネル部２２の乗場１側の端部と、第２の内側面パネル部３２の乗場１側の端部との間の距離が、第１の内側面パネル部２２の縦枠７側の端部と、第２の内側面パネル部３２の縦枠８側の端部との間の距離よりも大きくなっているので、乗場出入口３の間口方向の寸法を昇降路２側よりも乗場１側で大きくすることができる。これにより、かごに対する乗客の乗り降りを容易にすることができる。
【図面の簡単な説明】
【００３７】
【図１】この発明の実施の形態１によるエレベータの取付用出入口装置が出入口枠に取り付けられた乗場出入口を示す水平断面図である。
【図２】図１の乗場出入口を示す正面図である。
【図３】図１の乗場出入口の戸当たり側の部分を示す拡大図である。
【図４】図１の乗場出入口の戸袋側の部分を示す拡大図である。
【図５】この発明の実施の形態２によるエレベータの取付用出入口装置が出入口枠に取り付けられた乗場出入口を示す水平断面図である。
【符号の説明】
【００３８】
１  乗場、３  乗場出入口、７  一方の縦枠、８  他方の縦枠、１０  第１のカバーパネル、１１  第２のカバーパネル、１２  投光部、１３  受光部、１４  乗場操作盤、１７  出入口センサ、２１  第１の正面パネル部、２２  第１の内側面パネル部、３１  第２の正面パネル部、３２  第２の内側面パネル部。
【図１】
2008013355.tif 000003
【図２】
2008013355.tif 000004
【図３】
2008013355.tif 000005
【図４】
2008013355.tif 000006
【図５】
2008013355.tif 000007